(57)【要約】【課題】建物の外周壁に設けられた建具が有する施錠機構との関係において、シャッタを有効に活用することのできるシャッタ制御装置を提供する。【解決手段】シャッタ制御装置は、住宅の外周壁に設けられた玄関ドア１０，複数の引き違い窓サッシ３０が有する電子錠１２，クレセント錠３２の状態を検出する錠センサ１４，３４と、錠センサ１４，３４により検出される電子錠１２，クレセント錠３２の状態に基づいて、住宅に設けられた電動式シャッタ３８を制御する制御部６０とを備える。制御部６０は、クレセント錠３２の規制機構が規制状態にされたことが検出された場合に、電動式シャッタ３８を閉じる。【選択図】      図１
2010265584.tif 000002
【特許請求の範囲】
【請求項１】
建物の外周壁に設けられた建具が有する施錠機構の状態を検出する検出手段と、
前記検出手段により検出される前記施錠機構の状態に基づいて、前記建物に設けられた電動式シャッタを制御する制御手段と
を備えることを特徴とする建物のシャッタ制御装置。
【請求項２】
前記制御手段は、前記施錠機構が施錠されたことが検出された場合に、前記電動式シャッタを閉じることを特徴とする請求項１に記載の建物のシャッタ制御装置。
【請求項３】
前記制御手段は、前記施錠機構が解錠されたことが検出された場合に、前記電動式シャッタを開くことを特徴とする請求項１又は２に記載の建物のシャッタ制御装置。
【請求項４】
前記建物の所定の建具に施錠機構および電動式シャッタが設けられ、
前記制御手段は、前記所定の建具に設けられた施錠機構の状態に基づいて、前記所定の建具に設けられた電動式シャッタを制御することを特徴とする請求項１〜３のいずれか１項に記載の建物のシャッタ制御装置。
【請求項５】
前記建物の所定の建具に施錠機構が設けられ、
前記制御手段は、前記所定の建具に設けられた施錠機構の状態に基づいて、前記所定の建具以外の建具に設けられた電動式シャッタを制御することを特徴とする請求項１〜３のいずれか１項に記載の建物のシャッタ制御装置。
【請求項６】
前記建物の所定の建具に施錠機構および電動式シャッタが設けられ、
前記制御手段は、前記所定の建具に設けられた施錠機構の状態に基づいて、前記所定の建具に設けられた電動式シャッタを制御するモードと、前記所定の建具に設けられた施錠機構の状態に基づいて、前記所定の建具以外の建具に設けられた電動式シャッタを制御するモードとを切替可能であることを特徴とする請求項１〜５のいずれか１項に記載の建物のシャッタ制御装置。
【請求項７】
前記建具は施錠機構を有するドアを含み、
前記建物の複数の建具に電動式シャッタが設けられ、
前記制御手段は、前記ドアに設けられた施錠機構の状態に基づいて、前記複数の建具に設けられた電動式シャッタを制御することを特徴とする請求項１〜３、５のいずれか１項に記載の建物のシャッタ制御装置。
【請求項８】
前記制御手段は、前記電動式シャッタを制御する前記複数の建具を変更可能であることを特徴とする請求項７に記載の建物のシャッタ制御装置。
【請求項９】
前記ドアは前記建物の玄関ドアであり、
前記制御手段は、前記玄関ドアに設けられた施錠機構が屋外側から施錠されたことが検出された場合に、前記建物に設けられた全ての電動式シャッタを閉じることを特徴とする請求項７に記載の建物のシャッタ制御装置。
【請求項１０】
前記電動式シャッタは、複数のスラットを有するシャッタカーテンが閉じられた状態で前記スラットの開閉状態を制御可能な可変スラット電動式シャッタを含み、
前記制御手段は、前記建物の建具に設けられた施錠機構の状態に基づいて、前記可変スラット電動式シャッタの前記スラットの開閉を制御することを特徴とする請求項１〜９のいずれか１項に記載の建物のシャッタ制御装置。
【請求項１１】
前記制御手段は、前記施錠機構が施錠されたことが検出された場合に、前記可変スラット電動式シャッタの前記スラットを閉じることを特徴とする請求項１０に記載の建物のシャッタ制御装置。
【請求項１２】
前記建具はサッシ戸を有する窓サッシであり、
前記電動式シャッタは、複数のスラットを有するシャッタカーテンが閉じられた状態で前記スラットの開閉状態を制御可能な可変スラット電動式シャッタであり、
前記窓サッシに前記可変スラット電動式シャッタが設けられ、
前記制御手段は、前記シャッタカーテンが閉じられ且つ前記スラットが閉じられている状態で前記サッシ戸が開かれた場合に、前記シャッタカーテンを閉じた状態で前記スラットを開くことを特徴とする請求項１に記載の建物のシャッタ制御装置。
【請求項１３】
前記施錠機構は、施錠された状態又は解錠された状態が変化することを規制するように作動する規制機構を含み、
前記制御手段は、前記規制機構の状態に基づいて、前記建物に設けられた電動式シャッタを制御することを特徴とする請求項１〜１１のいずれか１項に記載の建物のシャッタ制御装置。
【発明の詳細な説明】
【技術分野】
【０００１】
本発明は、建物に設けられたシャッタを制御する制御装置に関する。
【背景技術】
【０００２】
建物の警備中に、窓サッシに設けられたクレセント錠が不正に開錠されたことを検出して、不正な開錠の発生を警備業者の基地局に送信するものがある（例えば、特許文献１参照）。
【先行技術文献】
【特許文献】
【０００３】
【特許文献１】特開２００３−２８１６３６号公報
【発明の概要】
【発明が解決しようとする課題】
【０００４】
ところで、特許文献１に記載のものは、クレセント錠が不正に開錠されたことを検出するものの、クレセント錠の状態を検出して実行する制御としては、未だ改善の余地を残すものとなっている。
【０００５】
なお、窓サッシに設けられたクレセント錠に限らず、建物の外周壁に設けられた建具が有する施錠機構においては、こうした実情は概ね共通したものとなっている。
【０００６】
本発明は、上記実情に鑑みてなされたものであり、建物の外周壁に設けられた建具が有する施錠機構との関係において、シャッタを有効に活用することのできるシャッタ制御装置を提供することを主たる目的とするものである。
【課題を解決するための手段】
【０００７】
本発明は、上記課題を解決するために、以下の手段を採用した。
【０００８】
第１の発明は、建物の外周壁に設けられた建具が有する施錠機構の状態を検出する検出手段と、前記検出手段により検出される前記施錠機構の状態に基づいて、前記建物に設けられた電動式シャッタを制御する制御手段とを備えることを特徴とする。
【０００９】
第１の発明によれば、建物の外周壁に設けられた建具が有する施錠機構の状態に基づいて、建物に設けられた電動式シャッタが制御されるため、建物使用者が電動式シャッタを操作しない場合であっても、建具が有する施錠機構との関係において電動式シャッタを有効に活用することができる。
【００１０】
なお、建物の建具が複数の施錠機構を有している場合には、少なくとも１つの施錠機構の状態に基づいて電動式シャッタを制御すればよい。また、建物の外周壁に施錠機構を有する複数の建具が設けられている場合には、いずれかの建具が有する施錠機構の状態に基づいて電動式シャッタを制御すればよい。
【００１１】
第２の発明は、第１の発明において、前記制御手段は、前記施錠機構が施錠されたことが検出された場合に、前記電動式シャッタを閉じるため、施錠機構が施錠されることに伴って建物の防犯性を向上させることができる。その結果、建物使用者が電動式シャッタを閉じる操作を行う手間を省くことができるとともに、建物使用者による電動式シャッタの操作忘れに対処することができる。
【００１２】
第３の発明は、第１又は第２の発明において、前記制御手段は、前記施錠機構が解錠されたことが検出された場合に、前記電動式シャッタを開くため、施錠機構の解錠と電動シャッタを開くこととを１つの操作で行うことができる。その結果、建物使用者が電動式シャッタを開く操作を行う手間を省くことができる。
【００１３】
第４の発明は、第１〜第３のいずれかの発明において、前記建物の所定の建具に施錠機構および電動式シャッタが設けられ、前記制御手段は、前記所定の建具に設けられた施錠機構の状態に基づいて、前記所定の建具に設けられた電動式シャッタを制御するため、所定の建具に設けられた施錠機構および電動式シャッタを対応付けて管理することができる。
【００１４】
第５の発明は、第１〜第３のいずれかの発明において、前記建物の所定の建具に施錠機構が設けられ、前記制御手段は、前記所定の建具に設けられた施錠機構の状態に基づいて、前記所定の建具以外の建具に設けられた電動式シャッタを制御するため、同じ建具に設けられていない施錠機構と電動式シャッタとを対応付けて、より柔軟に電動式シャッタを活用することができる。
【００１５】
第６の発明は、第１〜第５のいずれかの発明において、前記建物の所定の建具に施錠機構および電動式シャッタが設けられ、前記制御手段は、前記所定の建具に設けられた施錠機構の状態に基づいて、前記所定の建具に設けられた電動式シャッタを制御するモードと、前記所定の建具に設けられた施錠機構の状態に基づいて、前記所定の建具以外の建具に設けられた電動式シャッタを制御するモードとを切替可能であるため、建物使用者の要望に応じた制御モードを選択することができる。
【００１６】
第７の発明は、第１〜第３、第５のいずれかの発明において、前記建具は施錠機構を有するドアを含み、前記建物の複数の建具に電動式シャッタが設けられ、前記制御手段は、前記ドアに設けられた施錠機構の状態に基づいて、前記複数の建具に設けられた電動式シャッタを制御するため、ドアが有する施錠機構との関係において複数の電動式シャッタをまとめて制御することができる。
【００１７】
第８の発明は、第７の発明において、前記制御手段は、前記電動式シャッタを制御する前記複数の建具を変更可能であるため、建物使用者が電動式シャッタを制御することを要望する建具とそうでない建具とで制御の実行の有無を選択することができる。
【００１８】
第９の発明は、第７の発明において、前記ドアは前記建物の玄関ドアであり、前記制御手段は、前記玄関ドアに設けられた施錠機構が屋外側から施錠されたことが検出された場合に、前記建物に設けられた全ての電動式シャッタを閉じるため、外出時に電動式シャッタを個々に閉じる操作を行う手間を省くことができる。
【００１９】
第１０の発明によるように、第１〜第９のいずれかの発明において、前記電動式シャッタは、複数のスラットを有するシャッタカーテンが閉じられた状態で前記スラットの開閉状態を制御可能な可変スラット電動式シャッタを含み、前記制御手段は、前記建物の建具に設けられた施錠機構の状態に基づいて、前記可変スラット電動式シャッタの前記スラットの開閉を制御するといった態様により、建具が有する施錠機構との関係において可変スラット電動式シャッタを有効活用することができる。
【００２０】
第１１の発明は、第１０の発明において、前記制御手段は、前記施錠機構が施錠されたことが検出された場合に、前記可変スラット電動式シャッタの前記スラットを閉じるため、施錠機構が施錠されることに伴って建物の防犯性を向上させることができる。その結果、建物使用者が可変スラット電動式シャッタのスラットを閉じる操作を行う手間を省くことができるとともに、建物使用者によるスラットの操作忘れに対処することができる。
【００２１】
第１２の発明は、第１の発明において、前記建具はサッシ戸を有する窓サッシであり、前記電動式シャッタは、複数のスラットを有するシャッタカーテンが閉じられた状態で前記スラットの開閉状態を制御可能な可変スラット電動式シャッタであり、前記窓サッシに前記可変スラット電動式シャッタが設けられ、前記制御手段は、前記シャッタカーテンが閉じられ且つ前記スラットが閉じられている状態で前記サッシ戸が開かれた場合に、前記シャッタカーテンを閉じた状態で前記スラットを開くことを特徴とする。
【００２２】
第１２の発明によれば、前記シャッタカーテンが閉じられ且つ前記スラットが閉じられている状態で前記サッシ戸が開かれた場合に、前記シャッタカーテンが閉じられた状態で前記スラットが開かれるため、建物使用者がスラットを開くことを意図している可能性が高い場合にスラットを開くことができる。
【００２３】
第１３の発明は、第１〜第１１のいずれかの発明において、前記施錠機構は、施錠された状態又は解錠された状態が変化することを規制するように作動する規制機構を含み、前記制御手段は、前記規制機構の状態に基づいて、前記建物に設けられた電動式シャッタを制御するため、施錠機構の状態が変化することを規制する規制機構との関係において、電動式シャッタを有効に活用することができる。
【００２４】
なお、規制機構を作動させるボタン等が電動式シャッタに電気的に接続されているといった構成を採用することにより、簡易な構成により電動式シャッタを制御することができる。
【図面の簡単な説明】
【００２５】
【図１】建物のシャッタ装置の概略を示す模式図。
【図２】クレセント錠を示す斜視図。
【図３】シャッタ開閉制御１の処理手順を示すフローチャート。
【図４】シャッタ開閉制御２の処理手順を示すフローチャート。
【図５】窓サッシに設けられる錠の変形例を示す図。
【発明を実施するための形態】
【００２６】
以下、第１実施形態について図面を参照しつつ説明する。本実施形態は、窓サッシの屋外側に電動式シャッタが設けられた建物に具体化している。さらに、この建物は、電子キーとの間の無線通信によって建物使用者の認証を行うスマートエントリーシステムを備えている。
【００２７】
図１に示すように、本シャッタ制御装置が装備されている建物としての住宅は、複数の建具を備えている。複数の建具は、住宅の外周壁に設けられた建具であり、玄関ドア１０，複数の引き違い窓サッシ３０等を含んでいる。窓サッシ３０の屋外側の上部には電動式シャッタ３８が設けられている。この電動式シャッタ３８は、その開閉状態を操作ボタン及び制御信号に基づいて変更可能に構成されており、閉められた状態において窓サッシ３０の屋外側の面を覆う。
【００２８】
上記建具には施錠機構がそれぞれ設けられている。具体的には、玄関ドア１０，複数の窓サッシ３０に、それぞれ電子錠１２，クレセント錠３２が設けられている。クレセント錠３２は、手動操作によって施解錠が行われる。
【００２９】
本シャッタ制御装置は、制御部６０（制御手段）と、上記玄関ドア１０，複数の窓サッシ３０の施解錠状態をそれぞれ検出する錠センサ１４，３４（検出手段）と、玄関ドア１０の開閉状態を検出するドア開閉センサ１５と、住宅の使用者（家人）によって所持されている電子キー５６とを備えている。
【００３０】
電子キー５６は、送信回路，送信アンテナ，受信回路，受信アンテナ，マイコン等を含んで構成されている。そして、電子キー５６は、ＩＤコード（固有の識別情報）に基づいて電子錠１２との間で無線通信を行う。また、電子キー５６は、制御部６０との間でも無線通信可能に構成されている。なお、電子キー５６は、車両の電子キーと共通のものを用いることもできる。さらに、電子キー５６は、腕時計や携帯電話に電子錠１２との送受信回路を組み込んだものを用いることもできる。
【００３１】
電子錠１２は、屋外アンテナ部，屋内アンテナ部，送信回路，受信回路，電動サムターン等を含んで構成されている。そして、電子錠１２は、電子キー５６との無線通信に基づいて玄関ドア１０に対する使用者の接近および離間を検出するとともに、制御部６０との無線通信に基づいて電動サムターンの施解錠を行う。
【００３２】
錠センサ１４，３４は、それぞれ電子錠１２の電動サムターン，クレセント錠３２の施解錠状態を検出し、その検出結果を無線通信により制御部６０に出力する。
【００３３】
制御部６０は、マイコン，受信回路，受信アンテナ，通報部等を含んで構成されている。マイコンは、具体的にはＣＰＵ，ＲＯＭ，ＲＡＭからなるＣＰＵユニットである。マイコンには、電子キー５６のＩＤコードが予め記憶されている。そして、マイコンは、電子錠１２から入力されたＩＤコードと予め記憶（登録）されたＩＤコードとに基づいて使用者の認証を行う。また、マイコンは、ドア開閉センサ１５の出力に基づいて玄関ドア１０の開閉を検出する。マイコンは、上記錠センサ１４，３４の検出結果を入力している。
【００３４】
クレセント錠３２の構成について、図２を参照して説明する。
【００３５】
図２に示すように、クレセント錠３２は、サッシ戸のサッシ障子３６に取り付けられた基台３２ａを有している。基台３２ａには、クレセント本体３２ｃが回動可能に取り付けられている。また、クレセント錠３２は、サッシ戸のサッシ障子３７に取り付けられたクレセント受け３２ｂを有している。そして、クレセント本体３２ｃの回動に基づいて、クレセント本体３２ｃとクレセント受け３２ｂとが係合することによりサッシ戸が施錠状態に切り替えられ、これらの係合が解除されることによりサッシ戸が解錠状態に切り替えられる。すなわち、クレセント本体３２ｃとクレセント受け３２ｂとが係合する位置がクレセント本体３２ｃの施錠位置であり、これらの係合が解除される位置がクレセント本体３２ｃの解錠位置である。
【００３６】
クレセント錠３２は、クレセント錠３２のクレセント本体３２ｃが回動することを規制するスライドボタン３２ｄを有している。スライドボタン３２ｄは、サッシ戸を施錠状態に切り替えたクレセント本体３２ｃが、サッシ戸を解錠状態に切り替えるように回動することを規制する。スライドボタン３２ｄは、一方（上方）へスライドされた位置（規制位置）でクレセント本体３２ｃを規制状態に維持し、他方（下方）へスライドされた位置（規制解除位置）でクレセント本体３２ｃを規制解除状態に維持する。すなわち、スライドボタン３２ｄが上方にスライドされた状態では、クレセント本体３２ｃを回動させることができなくなる。
【００３７】
なお、上記クレセント本体３２ｃを含む機構、及び上記スライドボタン３２ｄを含む機構（規制機構）は、それぞれ施錠機構を構成する。
【００３８】
上述した錠センサ３４は、スライドボタン３２ｄの状態（位置）を検出する。すなわち、錠センサ３４は、クレセント本体３２ｃをスライドボタン３２ｄが規制状態・規制解除状態のいずれの状態に維持しているかを検出する。そして、錠センサ３４は、その検出結果を無線通信により制御部６０に出力する。
【００３９】
次に、電動式シャッタ３８の開閉状態を制御する処理手順について、図３，４のフローチャートを参照して説明する。これらのシャッタ開閉制御１，２は、制御部６０によって並行して、所定の周期をもって繰り返し実行される。
【００４０】
図３に示すように、シャッタ開閉制御１では、まず、窓サッシ３０に設けられた施錠機構が施錠状態であるか否か判定される（Ｓ１３）。具体的には、錠センサ３４の検出結果に基づいて、スライドボタン３２ｄが規制位置にあるか否か判定される。ここでは、クレセント錠３２の状態として、サッシ戸を施錠状態に切り替えたクレセント本体３２ｃを規制状態と規制解除状態とに切り替えるスライドボタン３２ｄの状態が検出される。
【００４１】
この判定において、窓サッシ３０に設けられた施錠機構が施錠状態であると判定された場合には（Ｓ１１：ＹＥＳ）、制御部６０の制御信号に基づいてその窓サッシ３０の電動式シャッタ３８が閉じられる（Ｓ１２）。すなわち、住宅使用者によって、クレセント本体３２ｃが施錠位置に操作された後にスライドボタン３２ｄが規制位置に操作されたことに連動して、その窓サッシ３０に設けられている電動式シャッタ３８が閉じられる。換言すれば、スライドボタン３２ｄが規制位置に操作された窓サッシ３０において、電動式シャッタ３８が閉じられる。なお、電動式シャッタ３８が閉じられる前に、既に電動式シャッタ３８が閉じられていた場合にはその状態で維持される。その後、本処理は一旦終了される。
【００４２】
一方、窓サッシ３０に設けられた施錠機構が施錠状態でないと判定された場合には（Ｓ１１：ＮＯ）、制御部６０の制御信号に基づいてその窓サッシ３０の電動式シャッタ３８が開かれる（Ｓ１３）。すなわち、住宅使用者によって、スライドボタン３２ｄが規制解除位置に操作されたことに連動して、その窓サッシ３０に設けられている電動式シャッタ３８が開かれる。換言すれば、スライドボタン３２ｄが規制解除位置に操作された窓サッシ３０において、電動式シャッタ３８が開かれる。なお、電動式シャッタ３８が開かれる前に、既に電動式シャッタ３８が開かれていた場合にはその状態で維持される。その後、本処理は一旦終了される。
【００４３】
なお、Ｓ１１の処理が検出手段としての処理に相当し、Ｓ１１〜Ｓ１３の処理が制御手段としての処理に相当する。
【００４４】
図４に示すように、シャッタ開閉制御２では、まず、玄関ドア１０に設けられた施錠機構が屋外側から施錠されたか否か判定される（Ｓ２１）。具体的には、電子錠１２によって屋内側から玄関ドア１０へ電子キー５６が接近したことが検出された後、ドア開閉センサ１５によって玄関ドア１０が開閉されたことが検出され、更に錠センサ１４によって電動サムターンの施錠が行われたことが検出され、電子錠１２によって玄関ドア１０から屋外側へ電子キー５６が離間したことが検出された場合に、玄関ドア１０に設けられた施錠機構が屋外側から施錠されたと判定される。なお、電子錠１２によって屋内側から玄関ドア１０へ電子キー５６が接近したことが検出されるといった条件や、ドア開閉センサ１５によって玄関ドア１０が開閉されたことが検出されるといった条件を省くこともできる。
【００４５】
この判定において、玄関ドア１０に設けられた施錠機構が屋外側から施錠されたと判定された場合には（Ｓ２１：ＹＥＳ）、制御部６０の制御信号に基づいて住宅に設けられた全ての電動式シャッタ３８が閉じられる（Ｓ２２）。すなわち、住宅の使用者が外出して玄関ドア１０の施錠機構が施錠されたため、住宅の全ての電動式シャッタ３８を閉じて住宅の防犯性を向上させるようにする。なお、住宅の使用者が複数である場合には、制御部６０に登録されている全ての電子キー５６について使用者が外出したと判定された上で、玄関ドア１０に設けられた施錠機構が屋外側から施錠されたと判定された場合に、全ての電動式シャッタ３８が閉じられるようにすればよい。その後、本処理は一旦終了される。
【００４６】
一方、玄関ドア１０に設けられた施錠機構が屋外側から施錠されたと判定されなかった場合には（Ｓ２１：ＮＯ）、本処理は一旦終了される。すなわち、その場合には、電動式シャッタ３８の開閉は行われず、電動式シャッタ３８のその時の状態が維持される。
【００４７】
なお、Ｓ２１の処理が検出手段としての処理に相当し、Ｓ２１〜Ｓ２２の処理が制御手段としての処理に相当する。
【００４８】
以上詳述した本実施形態は以下の利点を有する。
【００４９】
住宅の外周壁に設けられた建具が有する施錠機構の状態に基づいて、住宅に設けられた電動式シャッタ３８が制御されるため、住宅使用者が電動式シャッタ３８を操作しない場合であっても、建具が有する施錠機構との関係において電動式シャッタ３８を有効に活用することができる。
【００５０】
制御部６０は、施錠機構が施錠されたことが検出された場合に、電動式シャッタ３８を閉じるため、施錠機構が施錠されることに伴って住宅の防犯性を向上させることができる。その結果、住宅使用者が電動式シャッタ３８を閉じる操作を行う手間を省くことができるとともに、住宅使用者による電動式シャッタ３８の操作忘れに対処することができる。
【００５１】
制御部６０は、施錠機構が解錠されたことが検出された場合に、電動式シャッタ３８を開くため、施錠機構の解錠と電動式シャッタ３８を開くこととを１つの操作で行うことができる。その結果、住宅使用者が電動式シャッタ３８を開く操作を行う手間を省くことができる。
【００５２】
住宅の窓サッシ３０にクレセント錠３２および電動式シャッタ３８が設けられ、制御部６０は、窓サッシ３０に設けられたクレセント錠３２のスライドボタン３２ｄの状態に基づいて、その窓サッシ３０に設けられた電動式シャッタ３８を制御するため、窓サッシ３０に設けられたクレセント錠３２および電動式シャッタ３８を対応付けて管理することができる。
【００５３】
住宅の玄関ドア１０に電子錠１２が設けられ、制御部６０は、玄関ドア１０に設けられた電子錠１２の状態に基づいて、玄関ドア１０以外の建具である窓サッシ３０に設けられた電動式シャッタ３８を制御するため、同じ建具に設けられていない電子錠１２と電動式シャッタ３８とを対応付けて、より柔軟に電動式シャッタ３８を活用することができる。
【００５４】
複数の建具は電子錠１２を有する玄関ドア１０を含み、住宅の複数の窓サッシ３０に電動式シャッタ３８が設けられ、制御部６０は、玄関ドア１０に設けられた電子錠１２の状態に基づいて、複数の窓サッシ３０に設けられた電動式シャッタ３８を制御するため、玄関ドア１０が有する電子錠１２との関係において複数の電動式シャッタ３８をまとめて制御することができる。
【００５５】
特に、制御部６０は、玄関ドア１０に設けられた電子錠１２が屋外側から施錠されたことが検出された場合に、住宅に設けられた全ての電動式シャッタ３８を閉じるため、外出時に電動式シャッタ３８を個々に閉じる操作を行う手間を省くことができる。
【００５６】
クレセント錠３２は、施錠された状態が変化することを規制するように作動する規制機構を含み、制御部６０は、規制機構を構成するスライドボタン３２ｄの状態に基づいて、窓サッシ３０に設けられた電動式シャッタ３８を制御するため、クレセント錠３２のクレセント本体３２ｃが回動することを規制する規制機構との関係において、電動式シャッタ３８を有効に活用することができる。
【００５７】
上記実施形態に限定されず、例えば次のように実施することもできる。
【００５８】
上記実施形態では、窓サッシ３０に設けられた施錠機構が施錠状態であると判定された場合には、制御部６０の制御信号に基づいて直ちに電動式シャッタ３８が閉じられるようにしたが、その場合において所定時間経過後に電動式シャッタ３８が閉じられるようにすることもできる。また、窓サッシ３０に設けられた施錠機構が施錠状態でないと判定された場合に、所定時間経過後に制御部６０の制御信号に基づいて電動式シャッタ３８が開かれるようにすることもできる。
【００５９】
上記実施形態では、玄関ドア１０に設けられた施錠機構が屋外側から施錠されたと判定された場合に、制御部６０の制御信号に基づいて住宅に設けられた全ての電動式シャッタ３８が閉じられるようにしたが、そのような場合に一部の複数の電動式シャッタ３８が閉じられるようにしてもよい。例えば、そのような場合に、住宅の１階に設けられた電動式シャッタ３８を全て閉じるとともに、住宅の２階に設けられた電動式シャッタ３８は閉じないようにすることもできる。こうした構成によれば、住宅において特に防犯性を向上させる必要のある部分において、複数の電動式シャッタ３８を閉じるようにすることができる。さらに、電動式シャッタ３８を閉じる複数の窓サッシ３０を変更可能とすることにより、建物使用者が電動式シャッタ３８を閉じるように制御することを要望する窓サッシ３０とそうでない窓サッシ３０とで、電動式シャッタ３８を閉じる制御の有無を選択することができる。また、住宅の玄関ドア１０に設けられた施錠機構に限らず、住宅の勝手口ドアに設けられた施錠機構の状態に基づいて、住宅の複数の建具に設けられた電動式シャッタを制御するようにしてもよい。
【００６０】
上記実施形態では、クレセント錠３２の状態として、サッシ戸を施錠状態に切り替えたクレセント本体３２ｃを規制状態と規制解除状態とに切り替えるスライドボタン３２ｄの状態が錠センサ３４によって検出されるようにしたが、錠センサ３４によってクレセント本体３２ｃの状態（位置）が検出されるようにしてもよい。そして、このクレセント本体３２ｃの状態（位置）に基づいて、電動式シャッタ３８が制御されるようにしてもよい。また、窓サッシ３０の下部又は上部にサブロックを設けるとともに、錠センサによって検出されるサブロックの状態に基づいて電動式シャッタ３８が制御されるようにしてもよい。具体的には、サブロックは、サブロック本体と、サブロック本体を回動可能に支持する部分とを有し、サブロック本体の回動に基づいて、サブロック本体がサッシ戸から突出することによりサッシ戸が施錠状態に切り替えられ、サブロック本体がサッシ戸内に収められることによりサッシ戸が解錠状態に切り替えられるといった構成を採用することができる。
【００６１】
上記実施形態では、窓サッシ３０にクレセント錠３２が設けられるようにしたが、その他の錠と錠の状態を検出するセンサとを採用することもできる。図１，２に示すように、屋内外方向から見てクレセント錠３２がサッシ戸のサッシ障子３６の側方に設けられているのに対して、屋内方向から見てサッシ戸のサッシ障子３６の正面にその他の錠が設けられていてもよい。図５に、この錠の正面図と断面図を示す。
【００６２】
図５（ａ）に解錠状態を示すように、この錠７０は、屋内側のサッシ戸のサッシ障子１２ｃと、屋外側のサッシ戸のサッシ障子１２ｄとにわたって設けられている。錠７０は、サッシ障子１２ｃに収められたケース７１と、ケース７１によって回転可能に支持された軸部７５と、軸部７５に接続されたつまみ７２と、つまみ７２を屋内方向に付勢するスプリング７３と、サッシ障子１２ｄに取り付けられるとともに軸部７５とねじ締めにより係合する受け金具７４とを備えている。解錠状態では、つまみ７５及び軸部７５が屋内側に移動しているため、軸部７５はサッシ障子１２ｄから離間している。このため、サッシ障子１２ｃを有するサッシ戸と、サッシ障子１２ｄを有するサッシ戸との開閉を行うことができる。
【００６３】
そして、使用者がつまみ７２を屋外側に押しながら回転させることによって、図５（ｂ）に示す施錠状態となる。施錠状態では、軸部７５と受け金具７４とがねじ締めにより係合して、サッシ障子１２ｃとサッシ障子１２ｄとが固定される。これにより、２つのサッシ戸が施錠され、これらのサッシ戸を開くことができなくなる。また、使用者が施錠時と反対方向につまみ７２を回転させることによって、軸部７５と受け金具７４とのねじ締めによる係合が解除される。そして、スプリング７３の付勢力によりつまみ７２が屋内側に移動させられて、図５（ａ）に示す解錠状態となる。ここで、錠７０の状態をセンサにより検出することにより、窓サッシ３０の施錠状態を把握して、窓サッシ３０の屋外側に設けられた電動式シャッタ３８の開閉を行うことができる。
【００６４】
こうした構成によれば、錠７０は建物の外部から視認することができないため、錠７０が不正に開錠されにくくすることができる。また、クレセント錠３２においては施錠が不適切な場合にクレセント本体３２ｃがサッシ戸に当たるおそれがあるのに対して、錠７０においては施錠が不適切な場合に軸部７５がサッシ戸から離間することから、軸部７５がサッシ戸に当たることを抑制することができる。なお、軸部７５と受け金具７４とは、ねじ締めにより係合する構成に限らず、軸部７５の先端に設けられた張り出し部が、受け金具に形成された孔から挿入されて回転されることにより係合する構成等、その他の係合する構成を採用することもできる。
【００６５】
上記実施形態では、窓サッシ３０に設けられたクレセント錠３２の状態に基づいてその窓サッシ３０に設けられた電動式シャッタ３８を制御するシャッタ開閉制御１と、玄関ドア１０に設けられた電子錠１２の状態に基づいて複数の窓サッシ３０に設けられた電動式シャッタ３８を制御するシャッタ開閉制御２とを実行するようにしたが、これらの制御のうち一方の制御を実行するようにしてもよい。また、こうしたシャッタ開閉制御１，２の実行を停止させる切替スイッチを設けたり、シャッタ開閉制御１を実行するモードとシャッタ開閉制御２を実行するモードとを切り替える切替スイッチを設けたりしてもよい。こうした構成によれば、建物使用者の要望に応じた制御モードを選択することができる。
【００６６】
上記実施形態では、施錠機構の状態に基づいて電動式シャッタ３８を開閉するようにしたが、電動式シャッタが、複数のスラットを有するシャッタカーテンが閉じられた状態でスラットの開閉状態を制御可能な可変スラット電動式シャッタである場合には、施錠機構の状態に基づいて可変スラット電動式シャッタのスラットの開閉状態を制御するようにすることもできる。具体的には、電動式シャッタのシャッタカーテンが閉じられた状態でスラットが開かれており且つ施錠機構が施錠状態であると判定された場合には、制御部６０の制御信号に基づいて可変スラッタ電動式シャッタのスラットが閉じられるようにしてもよい。こうした構成によれば、建具が有する施錠機構との関係において可変スラット電動式シャッタを有効活用することができる。さらに、住宅使用者が可変スラット電動式シャッタのスラットを閉じる操作を行う手間を省くことができるとともに、住宅使用者によるスラットの操作忘れに対処することができる。また、電動式シャッタのシャッタカーテンが閉じられた状態でスラットが閉じられており且つ窓サッシが開かれていると判定された場合には、制御部６０の制御信号に基づいて可変スラッタ電動式シャッタのスラットが開かれるようにしてもよい。こうした構成によれば、住宅使用者がスラットを開くことを意図している可能性が高い場合にスラットを開くことができる。なお、窓サッシにその開閉状態を検出する開閉センサを設けることにより、窓サッシの開閉状態を検出することができる。
【００６７】
上記実施形態では、制御部６０が、建具に設けられた施錠機構が施錠状態であると判定した場合に電動式シャッタ３８を閉じさせるようにしたが、例えば規制機構を作動させるスライドボタン等が電動式シャッタ３８に電気的に接続されているといった構成を採用することにより、簡易な構成により施錠機構の状態に基づいて電動式シャッタ３８を制御することができる。
【００６８】
上記実施形態では、電動式シャッタとして引き違い窓サッシ３０に設けられた電動式シャッタ３８を採用したが、上げ下げ窓に設けられている電動式シャッタや、建物に組み込まれたインナガレージに設けられた可変スラット電動式シャッタ等、建物のその他の建具に設けられた電動式シャッタを採用することもできる。また、建物は住宅に限らず、オフィスや工場等であってもよい。
【符号の説明】
【００６９】
１０…建具としての玄関ドア、１２…施錠機構としての電子錠、１４，３４…検出手段としての錠センサ、３０…建具としての引き違い窓サッシ、３２…施錠機構としてのクレセント錠、３８…電動式シャッタ、６０…制御手段としての制御部。
【図１】
2010265584.tif 000003
【図２】
2010265584.tif 000004
【図３】
2010265584.tif 000005
【図４】
2010265584.tif 000006
【図５】
2010265584.tif 000007